(57)【特許請求の範囲】
【請求項１】
筒状体を径方向に二分割した形状のカバー本体と蓋体とを構成する一対の第一、第二カバー部材を設け、
前記第一カバー部材の横断面視における両側端部には、一対の係合部を設け、前記第二カバー部材の両側端部に前記係合部に係合する被係合部を設け、
前記係合部と前記被係合部とを互いに接当させたときに、前記係合部と前記被係合部とが互いに係合解除状態から係合状態に姿勢変更するのを許容させるように、前記第一、第二カバー部材をガイドして弾性変位させる第一、第二係合ガイド面を、それぞれ前記係合部と前記被係合部とに設け、
一対の前記第一、第二カバー部材を前記筒状体形状に組み立てたときに、その内部に長尺体を配設可能な長尺体収容空間を形成自在に形成し、
前記係合部は、前記第一カバー部材の両側端部を、横断面視で、前記長尺体収容空間内側にレの字状に屈曲させて、端縁部と屈曲端部とを形成するとともに、これら端縁部と屈曲端部との間に前記第一係合ガイド面を形成して構成し、
前記被係合部は、前記第二カバー部材の両側端部を、横断面視で、前記長尺体収容空間内側に外面Ｓ字状に傾斜させて、前記第一係合ガイド面に接当する第二係合ガイド面を形成するとともに、その第二係合ガイド面のガイド終端部側に前記長尺体収容空間内側に凹入する凹入部を設けて構成し、
前記凹入部の凹入底部には、前記第一、第二カバー部材を前記筒状体形状に組み立てたときに、前記端縁部が接当するとともに、屈曲端部近傍における前記第一カバー部材の長尺体収容空間側面が、前記ガイド終端部から離間する姿勢を維持可能にする係合当たり面を形成してある長尺体カバーであって、
前記第一、第二カバー部材を筒状体形状に組み立てたときに、横断面視で前記凹入部の開口縁部のうち前記ガイド終端部側とは異なる側に形成される凹入末縁部と、前記屈曲端部とが接当し、前記第二カバー部材に対して前記第一カバー部材を揺動させたとき、前記凹入末縁部と、前記屈曲端部との接当部分を軸に前記第一カバー部材が揺動し、前記第一カバー部材の前記屈曲端部の屈曲角が拡がりつつ弾性変形するように、前記係合部と前記被係合部とを構成してある長尺体カバー。
【請求項２】
前記係合部又は被係合部が、一定肉厚の屈曲板状である請求項１に記載の長尺体カバー。
【請求項３】
前記第二係合ガイド面の裏面側に、長尺体収容空間側に面する鉤状凹部を設けるとともに、前記第一係合ガイド面の裏面側に、長尺体収容空間側に面する爪状凹部を設けてある請求項１または２に記載の長尺体カバー。
【発明の詳細な説明】
【０００１】
【発明の属する技術分野】
本発明は、筒状体を径方向に二分割した形状のカバー本体と蓋体とを構成する一対の第一、第二カバー部材を設け、前記第一カバー部材の横断面視における両側端部には、一対の係合部を設け、前記第二カバー部材の両側端部に前記係合部に係合する被係合部を設け、前記係合部と前記被係合部とを互いに接当させたときに、前記係合部と前記被係合部とが互いに係合解除状態からから係合状態に姿勢変更するのを許容させるように、前記第一、第二カバー部材をガイドして弾性変位させる第一、第二係合ガイド面を、それぞれ前記係合部と前記被係合部とに設け、一対の前記第一、第二カバー部材を前記筒状体形状に組み立てたときに、その内部に長尺体を配設可能な長尺体収容空間を形成自在に形成形成し、
前記係合部は、前記第一カバー部材の両側端部を、横断面視で、前記長尺体収容空間内側にレの字状に屈曲させて、端縁部と屈曲端部とを形成するとともに、これら端縁部と屈曲端部との間に前記第一係合ガイド面を形成して構成し、
前記被係合部は、前記第二カバー部材の両側端部を、横断面視で、前記長尺体収容空間内側に外面Ｓ字状に傾斜させて、前記第一係合ガイド面に接当する第二係合ガイド面を形成するとともに、その第二係合ガイド面のガイド終端部側に前記長尺体収容空間内側に凹入する凹入部を設けて構成し、
前記凹入部の凹入底部には、前記第一、第二カバー部材を前記筒状体形状に組み立てたときに、前記端縁部が接当するとともに、屈曲端部近傍における前記第一カバー部材の長尺体収容空間側面が、前記ガイド終端部から離間する姿勢を維持可能にする係合当たり面を形成してある長尺体カバーに関する。
このような長尺体カバーは、前記第一、第二カバー部材を、それぞれ前記カバー本体もしくは前記蓋体のいずれか一方及び他方として用い、横断面視において、前記係合部と、被係合部とがそれぞれ、係合ガイド面において突き合わせられた状態に配置して、前記蓋体と前記カバー本体とをさらに近接移動させるように押し込み操作すると、前記係合部及び被係合部が、前記係合ガイド面が互いに押し合いながらスライド移動しつつ互いに弾性揺動し、前記係合部と前記被係合部とが互いに係合解除状態からから係合状態に姿勢変更するのを許容させるように変位するとともに、係合状態になると、前記係合部、被係合部は、それぞれ弾性復元して互いに係合し、全体として、内部に配管、配線等の長尺体を収容することができる長尺体収容空間を形成する筒状に組み立てられる。
尚、第一、第二カバー部材は、それぞれカバー本体と蓋体とのいずれを構成するものであっても、両者が一対としてカバー本体と蓋体とを構成していれば同様に機能するため、以下、具体的な構成の説明としてはカバー本体及び蓋体の名称で説明を行う。また、ここでは、筒状に形成された際に長尺体カバーの内部に位置する空間を長尺体収容空間とし、組み立てられる前の蓋体及びカバー本体に対しても、適用するものとする。
【０００２】
【従来の技術】
従来、この種の長尺体カバーとしては、図５に示すように、前記蓋体１００の両側端部に、横断面視で、長尺体収容空間３００内部方向に屈曲し、端縁部１２１と屈曲端部１２２との間に前記第一係合ガイド面１２３を形成して係合部１２０をレの字状に形成してあり、前記カバー本体２００の両側端部に、横断面視で、前記カバー本体２００の両側端部を長尺体収容空間３００外部側に傾斜して前記第一係合ガイド面１２３に接当する第二係合ガイド面２２３を形成するとともに、その第二係合ガイド面２２３のガイド終端部２２２側に前記長尺体収容空間３００内側に凹入する凹入部２２４を設けて前記被係合部２２０を外面逆Ｊ字状に形成してあり、前記凹入部２２０の凹入底部２２５には、前記カバー本体２００と前記蓋体１００とを前記筒状体形状に組み立てたときに、前記端縁部１２１が接当するとともに、屈曲端部１２２近傍における前記蓋体１００の長尺体収容空間３００側面に、前記ガイド終端部２２２が接当容易な姿勢を維持可能にする係合当たり面２２７を形成し、前記端縁部１２１を前記凹入部２２４に出入り可能にする構成としてあるものが知られている。
【０００３】
また、図７に示すように、前記蓋体１００の両側端部に、横断面視で、長尺体収容空間３００内部方向に膨出する膨出部１３１を設け、前記膨出部１３１の一面をテーパー状に形成して前記第一係合ガイド面１３３を設けて前記係合部１３０を矢印状に形成してあり、前記カバー本体２００の両側端部に、横断面視で、長尺体収容空間３００外部側に膨出する膨出部２３１を設け、前記膨出部２３１の一面をテーパー状に形成して第二係合ガイド面２３３を設け、前記第一係合ガイド面１３３に接当可能に形成するとともに、前記蓋体１００と前記カバー本体２００とが互いに係合した状態で、前記膨出部１３１，２３１同士が互いに接当する係合当たり面２３７をその膨出部１３１，２３１それぞれに設けてあり、かつ、その状態で前記蓋体１００の先端部１３２が接当する支持面２３６を形成する突出部２３８を前記カバー本体２００の両側端部に設けて前記被係合部２３０を矢印状に形成してあるものが知られている。
【０００４】
【発明が解決しようとする課題】
一般に、長尺体カバーを敷設する作業時には、図１に示すように、前記長尺体３０１を敷設対象部４００の一部からその敷設対象部４００の端部にわたって、前記カバー本体２００の長尺体収容空間３００に長尺体３０１を配置した姿勢で、前記蓋体１００をカバー本体２００に取付け、前記被係合部２１０（２２０，２３０）と係合部１１０（１２０，１３０）とを係合操作し、前記長尺体収容空間３００内部に長尺体３０１を収容しながら前記敷設対象部に位置固定するという作業を順次行っている。
このように長尺体３００及び長尺体カバー（蓋体１００とカバー本体２００）の敷設作業を行う場合、敷設途中の長尺体３００が敷設途中の長尺体カバーの側端開口から露出している部分を敷設作業者が握持し、その長尺体３００の姿勢を安定させるなどの目的で、その長尺体３００を揺動操作、牽引操作、押込操作等する場合がある。このような場合に、その操作力が、敷設済みの前記長尺体カバーに対して、その長尺体カバーを、長尺体収容空間内部３００から外方へ向かって押し広げる作用力として伝達されやすい。
また、前記長尺体カバーの長尺体収容空間３００内部の長尺体３０１の周囲に断熱材などの充填物を介装してあれば、その充填物が浸水などにより膨潤させられてしまうと、敷設作業後であっても同様の作用力が発生することが知られている。
【０００５】
上述した従来の長尺体カバーによると（図５、図７参照）、前記蓋体１００と前記カバー本体２００とが係合した状態で前記作用力が作用した場合、前記係合部１２０，１３０と前記被係合部２２０，２３０との係合が解除され易かった。敷設作業中にこのような現象が起きると、再度前記蓋体１００とカバー本体２００とを操作して、同じ作業を繰り返さなければならなくなって、敷設作業者の作業工程を増やし、労力、時間ともに不経済になったり、前記充填物が結果的に長尺体カバーを破壊することになって、長尺体カバーの信頼性が低下したりするという問題が生じる。また、一方、前記係合部１２０，１３０と前記被係合部２２０，２３０との係合を係合解除されにくくすべく前記長尺体カバーを、より剛なものに形成すると、長尺体カバーの組み付け時に弾性変形させられる融通性が阻害されやすくなるため、組み付け作業性が低下するという問題点が生じやすくなる。
【０００６】
そこで、本発明の目的は、上記実状にに鑑み、従来の前記蓋体と前記カバー本体との組み付け作業性を維持しつつ、長尺体カバー内に作用力がかかったとしても、前記係合部と被係合部の係合が解除されにくい長尺体カバーを提供することにある。
【０００７】
【課題を解決するための手段】
この目的を達成するための本発明の長尺体カバーの特徴構成は、図１〜４を参照して説明すると、
筒状体を径方向に二分割した形状のカバー本体と蓋体とを構成する一対の第一、第二カバー部材１００，２００を設け、
前記第一カバー部材１００の横断面視における両側端部には、一対の係合部１１０を設け、前記第二カバー部材２００の両側端部に前記係合部１１０に係合する被係合部２１０を設け、
前記係合部１１０と前記被係合部２１０とを互いに接当させたときに、前記係合部１００と前記被係合部２１０とが互いに係合解除状態からから係合状態に姿勢変更するのを許容させるように、前記第一、第二カバー部材１００，２００をガイドして弾性変位させる第一、第二係合ガイド面１１３，２１３を、それぞれ前記係合部１１０と前記被係合部２１０とに設け、
一対の前記第一、第二カバー部材１００，２００を前記筒状体形状に組み立てたときに、その内部に長尺体３０１を配設可能な長尺体収容空間３００を形成自在に形成し、
前記係合部１１０は、前記第一カバー部材１００の両側端部を、横断面視で、前記長尺体収容空間３００内側にレの字状に屈曲させて、端縁部１１１と屈曲端部１１２とを形成するとともに、これら端縁部１１１と屈曲端部１１２との間に前記第一係合ガイド面１１３を形成して構成し、
前記被係合部２１０は、前記第二カバー部材２００の両側端部を、横断面視で、前記長尺体収容空間３００内側に外面Ｓ字状に傾斜させて、前記第一係合ガイド面１１３に接当する第二係合ガイド面２１３を形成するとともに、その第二係合ガイド面２１３のガイド終端部２１２側に前記長尺体収容空間３００内側に凹入する凹入部２１４を設けて構成し、
前記凹入部２１４の凹入底部２１５には、前記第一、第二カバー部材１００，２００を前記筒状体形状に組み立てたときに、前記端縁部１１１が接当するとともに、屈曲端部１１２近傍における前記第一カバー部材１００の長尺体収容空間３００側面が、前記ガイド終端部２１２から離間する姿勢を維持可能にする係合当たり面２１７を形成してある長尺体カバーであって、
前記第一、第二カバー部材１００，２００を筒状体形状に組み立てたときに、横断面視で前記凹入部２１４の開口縁部のうち前記ガイド終端部２１２側とは異なる側に形成される凹入末縁部２１６と、前記屈曲端部１１２とが接当し、前記第二カバー部材２００に対して前記第一カバー部材１００を揺動させたとき、前記凹入末縁部２１６と、前記屈曲端部１１２との接当部分を軸に前記第一カバー部材１００が揺動し、前記第一カバー部材１００の前記屈曲端部１１２の屈曲角が拡がりつつ弾性変形するように、前記係合部１１０と前記被係合部２１０とを構成してある。
【０００８】
さらに、前記係合部１１０又は被係合部２１０が、一定肉厚の屈曲板状であっても良く、
前記第二係合ガイド面２１３の裏面側に、長尺体収容空間側に面する鉤状凹部２１９を設けるとともに、前記第一係合ガイド１１３面の裏面側に、長尺体収容空間３００側に面する爪状凹部１１９を設けてあることが好ましい。
【０００９】
〔作用効果〕
上述の構成のように、前記第一カバー部材１００の両側端部には、横断面視で、長尺体収容空間３００内側に屈曲し、最縁部に当たる端縁部１１１と屈曲される基点となる屈曲端部１１２との間に前記第一係合ガイド面１１３を形成してレの字状に形成してあれば、係合部１１０が前記第一カバー部材１００の両端部で長尺体収容空間３００内方側に膨出した形状に形成される。
また、前記第二カバー部材２００の両側端部には、横断面視で、前記第二カバー部材２００の両側端部を長尺体収容空間３００内側に傾斜して前記第一係合ガイド面１１３に接当する第二係合ガイド面２１３を形成するとともに、その第二係合ガイド面２１３のガイド終端部２１２側に前記長尺体収容空間３００内側に凹入する凹入部２１５を設けて前記被係合部２１０を外面Ｓ字状に形成してあると、前記係合部１１０が、前記第二カバー部材２００の外面から前記長尺体収容空間３００内側に凹入して前記被係合部２１０を受け入れられる形状に形成される。また、このような構成によると、前記第一、第二係合ガイド面１１３，２１３は、従来の構成同様互いに接当して、両者を近接移動させる操作力により、前記係合部、被係合部１１０，２１０を揺動変位させる機能を有するので、従来の構成同様の操作により組み立てることが出来るようになり、施工容易性を維持することが出来る。
【００１０】
ここで、先述の従来の長尺体カバーにかかる作用力が、前記係合部１２０，１３０と前記被係合部２２０，２３０とに及ぼす影響を考察すると、図６、図８に示すように、作用力が係合部１２０，１３０と被係合部２２０，２３０との係合当たり面２２７，２３７に働くと、従来の技術に記載の前者の場合（図５，図６参照）、前記係合部１２０における凹入部２２５の凹入底部２２５からガイド終端部２２２に渡る面と、前記被係合部２２０における端縁部１２１から屈曲端部１２２に渡る面とが互いに接当する係合当たり面２２７となり、作用力の大きさに応じた力を前記係合部１２０、被係合部２２０に伝達し、その係合部１２０、被係合部２２０が弾性変形する。このとき、前記被係合部２２０には係合部１２０の端縁部１２１を軸として、前記ガイド終端部２２２が揺動させられる変形が加わり、前記係部１２０には、前記ガイド終端部２２２を軸に端縁部１２１が揺動させられる変形が加わることが分かる。
すると、前記係合部１２０及び前記被係合部２２０は、いずれもが、その係合力を弱める方向に変位することになる。また、このような変位に基づき前記係合部１２０及び被係合部２２０が係合解除方向に変位すると、その揺動軸も移動する。そのため、前記作用力の大きさが大きくなるにつれ、前記係合部１２０及び前記被係合部２２０の係合状態の解除され易さは、加速的に大きくなることになるものと考えられる。
また、このような状況は、従来の技術に記載の後者の例でも同様であることが容易に理解できる。
【００１１】
それに対して、図４に示すように、本発明の構成における前記凹入部２１４の凹入底部２１５には、前記第一、第二カバー部材１００，２００を前記筒状体形状に組み立てたときに、前記端縁部１１１が接当するとともに、第一カバー部材１００の屈曲端部１１２近傍における長尺体収容空間３００側の面と、前記第二カバー部材２００の前記ガイド終端部２１２とが離間した姿勢を維持可能にする係合当たり面２１７を形成すると、図１〜４に示すように、前記係合部１１０、被係合部２１０の係合状態では前記第一カバー部材１００の端縁部１１１のみが、前記第二カバー部材２００の被係合部２１０に接当する係合状態を形成する。この係合部には、先の作用力が伝達されたとしても、前記係合当たり面２１７には、前記凹入底部２１５を軸に前記端縁部１１１と前記屈曲端部１１２との間の部分を揺動させられる力が働きにくいために容易に変位せず、単に前記第一係合ガイド面１１３の裏面と、前記係合当たり面２１７との間に形成される空間が狭められるような弾性変位が起きる。すると、前記係合当たり面２１７と前記端縁部１１１との接当個所は容易には移動せず、そのため、係合解除状態にはなりにくい。
さらに、上述の変位が発生した場合には、前記係合部１１０の屈曲端部１１２の屈曲姿勢が、引き拡げられる状態になるから、その弾性復元力によって前記作用力に抗してもとの係合状態に復元しようとする働きが生じ、より一層、両者が係合解除状態に変位しようとするのに抗することになるため、大きな作用力に対しても係合解除状態にならずに耐えられるようになる。
【００１２】
また、上述の構成において前記第一、第二係合ガイド面１１３，２１３は、対向させた状態で傾斜が沿っていることが望ましいのに対して、前記第一係合ガイド面１１３と前記係合当たり面２１７とは、鋭角に形成して前記屈曲端部１１２とガイド終端部２１２との間に適度な間隔を形成させておくことが望ましい。上述の従来の技術に記載の前者の構成によると、前記第二係合ガイド面２１３と、前記係合当たり面２１７とは、両者が表裏に対向する面に配置されているから角度設定が困難である。それに対して、本発明によると、前記被係合部は外面が連続するＳ字状に形成されているために、このような好ましい角度設定を行う上でも好ましい形態であるといえる。
【００１３】
また、前記係合部１１０と前記被係合部２１０とを、前記第一、第二カバー部材１００，２００を筒状体形状に組み立てたときに、横断面視で前記凹入部２１４の開口縁部のうち前記ガイド終端部２１２側とは異なる側に形成される凹入末縁部２１６と、前記屈曲端部１１２とが接当するように構成してあると、前記作用力として、前記端縁部１１１と前記屈曲端部１１２との間の部分が前記凹入部２１４の前記凹入底部２１５と前記ガイド終端部２１２との間にはめ込まれてしまう。そのため、前記第一カバー部材１００は、揺動によっては姿勢変更しにくい状態になるから、前記第二カバー部材２００に対して前記第一カバー部材１００を前記係合部１１０周りに揺動させる作用力が働いたとしても、前記第一カバー部材１００の両屈曲端部１１２，１１２間の中間部分１０１が前記凹入末縁部２１６と、前記屈曲端部１１２との接当部分を軸に揺動させられる事になって、前記第一カバー部材１００の前記屈曲端部１１２の屈曲角を拡げるように弾性変形させることになる。
すると、前記係合部１１０と被係合部２１０との係合状態は変化しにくく、しかも、上述の弾性変形に基づく弾性復元力が前記作用力に抗することになって、前記係合部１１０、被係合部２１０の係合状態が、より一層はずれにくくなるのに寄与する。
【００１４】
さらに、前記係合部１１０又は被係合部２１０が、一定肉厚の屈曲板状であると、前記係合部１１０、被係合部２１０が、板バネとして働き易い構成を提供しながら、全体として軽量に構成することができ、製造コスト及び輸送コストの面で有利に出来る。尚、このような長尺体カバーを輸送する際には、たとえばカバー本体内部に蓋体を収容したような小容積にまとめた状態にできることが好ましく、前記第一、第二カバー部材１００，２００の寸法関係を調整してあることが望ましい。
また、このような長尺体カバーは、樹脂の押し出し成形により長尺に形成されるが、一定肉厚の屈曲板状のものであれば、樹脂シートの曲げ加工で製造可能になるなど、成型加工を種々の態様でおこなえるようになって好ましい。
【００１５】
また、前記第二係合ガイド面２１３の裏面側に、長尺体収容空間３００側に面する鉤状凹部２１９を設けるとともに、前記第一係合ガイド１１３面の裏面側に、長尺体収容空間３００側に面する爪状凹部１１９を設けてあると、図１に示すように、前記第一、第二カバー部材１００，２００を筒状体形状に組み立てる場合に対向する係合部と被係合部２１０との組み合わせとは異なる係合部１１０と被係合部２１０との組み合わせで、前記第二カバー部材２００の鉤状凹部２１９と前記第一カバー部材１００の爪状凹部１１９とが互いに引っかかり係合できるように開口させておくことが出来るから、たとえば前記長尺体カバーを、建物壁面４００に水平に取付けられる配管３０１をカバーするのに用いるような場合に、カバー本体を建物壁面４００に固定した後、前記カバー本体の長尺体収容空間に配管３０１を配置するまでの間、蓋体を仮置きしておくことが出来るなど、敷設作業性の向上に寄与することができる。
【００１６】
従って、従来の前記蓋体と前記カバー本体との組み付け作業性を維持しつつ、長尺体カバー内に作用力がかかったとしても、前記係合部と被係合部の係合が解除されにくい長尺体カバーを提供することができた。
【００１７】
尚、図面との対照を便利にするために符号を記すが、これらの記入により本発明は添付図面の構成に限定されるものではない。
【００１８】
【発明の実施の形態】
以下に本発明の実施の形態を図面に基づいて説明する。
図１〜４に示すように、本発明の長尺体カバーは、筒状体を径方向に二分割した形状のカバー本体と蓋体とを構成する一対の第一、第二カバー部材１００，２００を設けて構成してある。
前記第一、第二カバー部材１００は全体が一定厚さに押し出し成形される弾性樹脂製で、前記第一カバー部材１００の両側端部には、一対の係合部１１０を設け、前記第二カバー部材２００の両側端部に前記係合部１１０に係合する被係合部２１０を設けてある。
【００１９】
前記係合部１１０は、前記第一カバー部材１００の両側端部を、横断面視で、前記長尺体収容空間３００内側にレの字状に屈曲させて、端縁部１１１と屈曲端部１１２とを形成するとともに、これら端縁部１１１と屈曲端部１１２との間に前記第一係合ガイド面１１３を形成して構成し、長尺体カバーの蓋体を構成する。また、前記第一係合ガイド１１３面の裏面側に、長尺体収容空間３００側に面する爪状凹部１１９を形成してある。
【００２０】
前記被係合部２１０は、前記第二カバー部材２００の両側端部を、横断面視で、前記長尺体収容空間３００内側に外面Ｓ字状に傾斜させて、前記第一係合ガイド面１１３に接当する第二係合ガイド面２１３を形成するとともに、その第二係合ガイド面２１３のガイド終端部２１２側に前記長尺体収容空間３００内側に凹入する凹入部２１４を設けて構成し、長尺体カバーのカバー本体を構成する。また、前記第二係合ガイド面２１３の裏面側に、長尺体収容空間側に面する鉤状凹部２１９を形成してある。
【００２１】
前記凹入部２１４の凹入底部２１５には、前記第一、第二カバー部材１００，２００を前記筒状体形状に組み立てたときに、前記端縁部１１１が接当するとともに、屈曲端部１１２近傍における前記第一、第二カバー部材１００，２００の長尺体収容空間３００側面と、前記ガイド終端部２１２とが離間した姿勢を維持可能にする係合当たり面２１７を形成してある。
【００２２】
これにより、前記係合部１１０と前記被係合部２１０とを互いに接当させたときに、前記係合部１１０と前記被係合部２１０とが互いに係合解除状態から係合状態に姿勢変更するのを許容させるように、前記第一、第二カバー部材１００，２００をガイドして弾性変位させられ、さらに両者を近接移動させて組立操作すると、前記第一、第二カバー部材１００，２００を筒状体形状に組み立てたときに、横断面視で前記凹入部２１４の開口縁部のうち前記ガイド終端部２１２側とは異なる側に形成される凹入末縁部２１６と、前記屈曲端部１１２とが接当する。
そして、一対の前記第一、第二カバー部材１００，２００は筒状体形状に組み立てられるから、その内部に長尺体３０１を配設可能な長尺体収容空間３００を形成自在となる。
【００２３】
また、前記第二カバー部材の前記被係合部同士の間の中間部には長手方向にわたって、複数の半抜きノックアウト穴２０１を設けてあり、通常は水密に封じられている。このノックアウト穴２０１は、ドライバ等で打ち抜き力を与えると、前記第二カバー部材をカバー本体として建物壁面等に釘打ち固定するための釘穴を形成可能に構成してある。
【００２４】
このような長尺体カバーを用いて、長尺体３０１の一例としての冷媒管を敷設するような場合には、図１に示す手順で行う。まず、カバー本体としての第二カバー部材２００を冷媒管３０１の敷設対象部４００としての建物壁面に釘打ち固定する。前記第二カバー部材２００の長尺体収容空間３００内に、冷媒管３０１を配設して蓋体としての第一カバー部材１００を前記第二カバー部材２００に対して取付け、敷設対象部４００の一部からその敷設対象部４００の端部にわたって、順次筒状体形状に組み立てる。この際、前記蓋体１００及びカバー本体２００は、その一対の係合部１１０、被係合部２１０を互いに突き合わせた姿勢で前記蓋体１００を前記カバー本体２００に近接移動させるように押し付けることにより、前記係合部１１０及び被係合部２１０が互いに弾性変形するから容易に一体化することが出来る。また、この状態では、前記冷媒管３０１を揺動操作させて前記長尺体収容空間３００側から外方へ向かう作用力を発生させたとしても容易には組立状態の解除されない姿勢に組み立てられる。また、このような作業時には、図１に示すように、前記第一、第二カバー部材１００，２００を筒状体形状に組み立てる場合に対向する係合部と被係合部２１０との組み合わせとは異なる係合部１１０と被係合部２１０との組み合わせで、前記第二カバー部材２００の鉤状凹部２１９と前記第一カバー部材１００の爪状凹部１１９とが互いに引っかかり係合できるように開口させておくことが出来るから、たとえば前記長尺体カバーを、建物壁面４００に水平に取付けられる配管３０１をカバーするのに用いるような場合に、カバー本体２００を建物壁面４００に固定した後、前記カバー本体２００の長尺体収容空間に配管３０１を配置するまでの間、蓋体１００を仮置きしておくことが出来る。また、前記カバー本体２００の長尺体収容空間に配管３０１を配置した後前記蓋体１００を前記カバー本体２００に固定するまでの間などでは、図９に示すように、蓋体１００を仮置きしておくことも出来、この状態では前記蓋体１００の中間部分１０１を押込操作するだけで施工し終えることになるので、施工作業性の面でも能率良く仮置きできる形態を実現できるものとなる。
【図面の簡単な説明】
【図１】本発明の長尺体カバーの施工手順を示す斜視図
【図２】長尺体カバーのカバー本体と蓋体との非係合状態を示す断面図
【図３】長尺体カバーのカバー本体と蓋体との係合状態を示す断面図
【図４】本発明の長尺体カバーの係合部、被係合部に対する作用力説明図
【図５】従来の長尺体カバーの断面図
【図６】従来の長尺体カバーの係合部、被係合部に対する作用力説明図
【図７】従来の長尺体カバーの断面図
【図８】従来の長尺体カバーの係合部、被係合部に対する作用力説明図
【図９】カバー本体に対する蓋体の仮置き状態を示す図
【符号の説明】
１００  第一カバー部材
２００  第二カバー部材
３００  長尺体収容空間
１１０  係合部
１１１  端縁部
１１２  屈曲端部
１１３  第一係合ガイド面
２１０  被係合部
２１３  第二係合ガイド面
２１２  ガイド終端部
２１４  凹入部
【図１】
0003553507.tif 000002
【図２】
0003553507.tif 000003
【図３】
0003553507.tif 000004
【図４】
0003553507.tif 000005
【図５】
0003553507.tif 000006
【図６】
0003553507.tif 000007
【図７】
0003553507.tif 000008
【図８】
0003553507.tif 000009
【図９】
0003553507.tif 000010